【手続補正書】
【提出日】令和1年6月11日(2019.6.11)
【手続補正１】
【補正対象書類名】特許請求の範囲
【補正対象項目名】全文
【補正方法】変更
【補正の内容】
【特許請求の範囲】
【請求項１】
電磁放射に対し透過性の物体（１２）の背後に配置された目的物（９．１）を検出する装置であって、
該装置は、
・第１送信コイル（１．１）及び第１送信コイルに対し直角に配置された第１受信コイル（２．１）を有するコイルアレンジメント、
・但し、コイルアレンジメントは、該装置と物体（１２）の間の相対運動時に目的物（９．１）を検出するセンサを形成し、及び、
・少なくとも１つの送信コイル（１．１）の制御のための及びセンサの出力信号の評価のための制御回路
を有し、
・コイルアレンジメントは、制御回路によって送信器として制御される第１送信コイル（１．１）及び制御回路によって送信器として制御される少なくとも１つの更なる送信コイル（１．２、１．３、１．４）と、第１受信コイル（２．１）及び少なくとも１つの更なる受信コイル（２．２、２．３、２．４）を含み、
・第１送信コイル（１．１）の軸（１．５）と少なくとも１つの更なる送信コイル（１．２）の軸（１．６）は互いに対し直角に配されており、
第１送信コイル（１．１）と更なる送信コイル（１．２、１．３、１．４）は、夫々、第１受信コイル（２．１）に対し同じ大きさの距離を有し、
・第１送信コイル（１．１）の軸（１．５）と少なくとも１つの更なる送信コイル（１．２）の軸（１．６）は第１受信コイル（２．１）の軸（２．５）と直角に交差しており、
送信コイル（１．１、１．２）の軸（１．５、１．６）は、受信コイル（２．１、２．２、２．３、２．４）が配置されている面に位置する、
装置。
【請求項２】
請求項１に記載の装置において、
第１受信コイル（１．１）及び少なくとも１つの更なる送信コイル（１．２）の軸（１．５、１．６）は第１受信コイル（２．１）の軸（２．５）と１つの点で交差している、
装置。
【請求項３】
請求項１又は２に記載の装置において、
その原点が第１受信コイル（２．１）と更なる受信コイル（２．２、２．３、２．４）の間の中心に位置しかつそのＺ軸が検出されるべき目的物（９．１）の方向を指向する直交座標系において、受信コイル（２．１、２．２、２．３、２．４）はＸＹ平面に位置し、他方、複数の送信コイルの少なくとも１つ（１．１）はＸＺ平面に位置しかつ複数の送信コイルの少なくとも他の１つはＹＺ平面に位置する、
装置。
【請求項４】
請求項１〜３の何れかに記載の装置において、
少なくとも１つの共振コンデンサ（３．１）が、第１受信コイル（２．１）に対し並列にかつ少なくとも１つの更なる受信コイル（２．２、２．３、２．４）に対し並列に接続されており、
該少なくとも１つの共振コンデンサ（３．１）は、これらの受信コイル（２．１、２．２、２．３、２．４）と共に振動回路を形成する、
装置。
【請求項５】
請求項１〜４の何れかに記載の装置において、
コイルアレンジメントは、第１送信コイル（１．１）及び少なくとも１つの更なる送信コイル（１．２）と第１受信コイル（２．１）及び少なくとも１つの更なる受信コイル（２．２、２．３、２．４）を含む第１コンフィギュレーションと、少なくとも１つの第３送信コイル（１．３）及び第４送信コイル（１．４）と第１受信コイル（２．１）及び少なくとも１つの更なる受信コイル（２．２、２．３、２．４）を含む第２コンフィギュレーションを有し、
第３及び第４送信コイル（１．３、１．４）の軸（１．７、１．８）と第１送信コイル（１．１）の軸（１．５）は１つの面に位置し、
制御回路は、測定信号（８．３）のために、第１コンフィギュレーションの振幅推移（８．１）と第２コンフィギュレーションの振幅推移（８．２）を加算するよう構成かつ適合化されており、これらの振幅推移（８．１、８．２）は夫々該装置と物体（１２）の間の相対運動時にセンサの進路（ｘ）に沿って生成する、
装置。
【請求項６】
請求項５に記載の装置において、
コイルアレンジメントは、少なくとも２つの更なる受信コイル、即ち第３受信コイル（２．２）及び第４受信コイル（２．４）を有し、
コイルアレンジメントは、少なくとも１つの更なる送信コイル（１．２）及び第３送信コイル（１．３）と第３受信コイル（２．２）及び第４受信コイル（２．４）を含む第３コンフィギュレーションと、第１送信コイル（１．１）及び第４送信コイル（１．４）と第３受信コイル（２．２）及び第４受信コイル（２．４）を含む第４コンフィギュレーションを有し、
第１、第３及び第４送信コイル（１．１、１．３、１．４）の軸（１．５、１．７、１．８）は１つの面に位置し、
制御回路は、前記進路を２次元的に評価するよう構成かつ適合化されている、
装置。
【請求項７】
電磁放射に対し透過性の物体（１２）の背後に配置された目的物（９．１）の検出方法であって、
第１送信コイル（１．１）及び第１送信コイルに対し直角に配置された第１受信コイル（２．１）を有するコイルアレンジメントが設けられ、
コイルアレンジメントは、検出装置と物体（１２）の間の相対運動時に目的物を検出するセンサを形成し、
少なくとも１つの送信コイル（１．１）が信号によって制御され、この信号によって影響を受けるセンサの出力信号が評価され、
第１送信コイル（１．１）と少なくとも１つの更なる送信コイル（１．２、１．４）は互いに対し直角に配置されておりかつ第１送信コイル（１．１）と更なる送信コイル（１．２、１．３、１．４）は夫々第１受信コイル（２．１）に対し同じ大きさの距離を有しかつ周期的な交流電圧信号（５．１、５．２）によって送信器として駆動され、
周期的な交流信号のためにこれらの送信コイルから送出される電磁界は、周期的交流電圧送信信号（５．１、５．２）の第１の半周期中では第１受信コイル（２．１）の方向に夫々向けられており、周期的交流電圧送信信号の第２の半周期中では第１受信コイル（２．１）の反対側に向けられており、
第１受信コイル（２．１）は、少なくとも１つの更なる受信コイル（２．２、２．３、２．４）と直列に接続されかつ駆動され、
コイルアレンジメントを貫通通過する電磁界は、これらの受信コイル（２．１、２．３；２．２、２．４）において互いに対し逆向きの電圧を生成し、
送信コイルと受信コイルは、
・第１送信コイル（１．１）の軸（１．５）と少なくとも１つの更なる送信コイル（１．２）の軸（１．６）が第１受信コイル（２．１）の軸（２．５）と直角に交差し、かつ、
・送信コイル（１．１、１．２）の軸（１．５、１．６）が受信コイル（２．１、２．２、２．３、２．４）が配置されている面に位置する、
よう、配置されかつ駆動される、
検出方法。
【請求項８】
請求項７に記載の検出方法において、
第１送信コイル（１．１）及び少なくとも１つの更なる送信コイル（１．２）と第１受信コイル（２．１）及び少なくとも１つの更なる受信コイル（２．２、２．３、２．４）を含む第１コンフィギュレーションと、少なくとも１つの第３送信コイル（１．３）及び第４送信コイル（１．４）と第１受信コイル（２．１）及び少なくとも１つの更なる受信コイル（２．２、２．３、２．４）を含む第２コンフィギュレーションを有し、
第１、第３及び第４送信コイル（１．１、１．３、１．４）の軸（１．５、１．７、１．８）は１つの面に位置し、
検出装置と物体（１２）の間の相対運動時に、センサの進路（ｘ）に沿って、第１コンフィギュレーションによって検出される振幅推移（８．１）が第２コンフィギュレーションによって検出される振幅推移（８．２）と、測定信号（８．３）のために、加算される、
検出方法。
【請求項９】
請求項８に記載の検出方法において、
コイルアレンジメントは、少なくとも２つの更なる受信コイル、即ち第３受信コイル（２．２）及び第４受信コイル（２．４）を有し、
コイルアレンジメントは、少なくとも１つの更なる送信コイル（１．２）及び第３送信コイル（１．３）と第３受信コイル（２．２）及び第４受信コイル（２．４）を含む第３コンフィギュレーションと、第１送信コイル（１．１）及び第４送信コイル（１．４）と第３受信コイル（２．２）及び第４受信コイル（２．４）を含む第４コンフィギュレーションを有し、
第１、第３及び第４送信コイル（１．１、１．３、１．４）の軸（１．５、１．７、１．８）は１つの面に位置し、
第１及び第２コンフィギュレーションの振幅推移は、測定信号のために、経路（ｘ）に沿って互いに加算され、
第３及び第４コンフィギュレーションの振幅推移は、測定信号のために、経路（ｘ）に対する横方向において互いに加算される、
検出方法。
【請求項１０】
請求項８又は９に記載の検出方法において、
対向して位置する２つのコンフィギュレーションから得られる振幅の量的な和は、コイルアレンジメントの仮想の直交座標系の原点が、格子構造体の電気的に導通する２つの閉回路を互いに対し分離する格子セグメント（９．１）の上方の中心に正確に位置する丁度そのとき最大であり、但し、該原点は第１受信コイル（２．１）と更なる受信コイル（２．２、２．３、２．４）の間の中心に位置し、該直交座標系のＸＹ平面はこれらの受信コイル（２．１、２．２、２．３、２．４）に位置し、該直交座標系のＺ軸は検出されるべき格子セグメント（９．１）の方向を指向する、
検出方法。
【手続補正２】
【補正対象書類名】明細書
【補正対象項目名】００１７
【補正方法】変更
【補正の内容】
【００１７】
この課題は、請求項１ないし請求項７の特徴を有する、電磁放射に対し透過性の物体の背後に配置された目的物を検出する装置及び方法によって解決される。
即ち、本発明の第１の視点により、電磁放射に対し透過性の物体の背後に配置された目的物を検出する装置が提供される。
該装置は、
・第１送信コイル及び第１送信コイルに対し直角に配置された第１受信コイルを有するコイルアレンジメント、
・但し、コイルアレンジメントは、該装置と物体の間の相対運動時に目的物を検出するセンサを形成し、及び、
・少なくとも１つの送信コイルの制御のための及びセンサの出力信号の評価のための制御回路
を有し、
・コイルアレンジメントは、制御回路によって送信器として制御される第１送信コイル及び制御回路によって送信器として制御される少なくとも１つの更なる送信コイルと、第１受信コイル及び少なくとも１つの更なる受信コイルを含み、
・第１送信コイルの軸と少なくとも１つの更なる送信コイルの軸は互いに対し直角に配されており、
第１送信コイルと更なる送信コイルは、夫々、第１受信コイルに対し同じ大きさの距離を有し、
・第１送信コイルの軸と少なくとも１つの更なる送信コイルの軸は第１受信コイルの軸と直角に交差しており、
送信コイルの軸は、受信コイルが配置されている面に位置する（形態１・第１基本構成）。
更に、本発明の第２の視点により、電磁放射に対し透過性の物体の背後に配置された目的物の検出方法が提供される。該方法において、
第１送信コイル及び第１送信コイルに対し直角に配置された第１受信コイルを有するコイルアレンジメントが設けられ、
コイルアレンジメントは、検出装置と物体の間の相対運動時に目的物を検出するセンサを形成し、
少なくとも１つの送信コイルが信号によって制御され、この信号によって影響を受けるセンサの出力信号が評価され、
第１送信コイルと少なくとも１つの更なる送信コイルは互いに対し直角に配置されておりかつ第１送信コイルと更なる送信コイルは夫々第１受信コイルに対し同じ大きさの距離を有しかつ周期的な交流電圧信号によって送信器として駆動され、
周期的な交流信号のためにこれらの送信コイルから送出される電磁界は、周期的交流電圧送信信号の第１の半周期中では第１受信コイルの方向に夫々向けられており、周期的交流電圧送信信号の第２の半周期中では第１受信コイルの反対側に向けられており、
第１受信コイルは、少なくとも１つの更なる受信コイルと直列に接続されかつ駆動され、
コイルアレンジメントを貫通通過する電磁界は、これらの受信コイルにおいて互いに対し逆向きの電圧を生成し、
送信コイルと受信コイルは、
・第１送信コイルの軸と少なくとも１つの更なる送信コイルの軸が第１受信コイルの軸と直角に交差し、かつ、
・送信コイルの軸が受信コイルが配置されている面に位置する、
よう、配置されかつ駆動される（形態７・第２基本構成）。
【手続補正３】
【補正対象書類名】明細書
【補正対象項目名】００２２
【補正方法】変更
【補正の内容】
【００２２】
ここに、本発明の好ましい実施の形態を示す。
（形態１）上記第１基本構成参照。
（形態２）形態１の装置において、第１受信コイル及び少なくとも１つの更なる送信コイルの軸は第１受信コイルの軸と１つの点で交差していることが好ましい。
（形態３）形態１又は２の装置において、その原点が第１受信コイルと更なる受信コイルの間の中心に位置しかつそのＺ軸が検出されるべき目的物の方向を指向する直交座標系において、受信コイルはＸＹ平面に位置し、他方、複数の送信コイルの少なくとも１つはＸＺ平面に位置しかつ複数の送信コイルの少なくとも他の１つはＹＺ平面に位置することが好ましい。
（形態４）形態１〜３の何れかの装置において、少なくとも１つの共振コンデンサが、第１受信コイルに対し並列にかつ少なくとも１つの更なる受信コイルに対し並列に接続されており、
該少なくとも１つの共振コンデンサは、これらの受信コイルと共に振動回路を形成することが好ましい。
（形態５）形態１〜４の何れかの装置において、コイルアレンジメントは、第１送信コイル及び少なくとも１つの更なる送信コイルと第１受信コイル及び少なくとも１つの更なる受信コイルを含む第１コンフィギュレーションと、少なくとも１つの第３送信コイル及び第４送信コイルと第１受信コイル及び少なくとも１つの更なる受信コイルを含む第２コンフィギュレーションを有し、
第３及び第４送信コイルの軸と第１送信コイルの軸は１つの面に位置し、
制御回路は、測定信号のために、第１コンフィギュレーションの振幅推移と第２コンフィギュレーションの振幅推移を加算するよう構成かつ適合化されており、これらの振幅推移は夫々該装置と物体の間の相対運動時にセンサの進路に沿って生成することが好ましい。
（形態６）形態５の装置において、コイルアレンジメントは、少なくとも２つの更なる受信コイル、即ち第３受信コイル及び第４受信コイルを有し、
コイルアレンジメントは、少なくとも１つの更なる送信コイル及び第３送信コイルと第３受信コイル及び第４受信コイルを含む第３コンフィギュレーションと、第１送信コイル及び第４送信コイルと第３受信コイル及び第４受信コイルを含む第４コンフィギュレーションを有し、
第１、第３及び第４送信コイルの軸は１つの面に位置し、
制御回路は、前記進路を２次元的に評価するよう構成かつ適合化されていることが好ましい。
（形態７）上記第２基本構成参照。
（形態８）形態７の検出方法において、第１送信コイル及び少なくとも１つの更なる送信コイルと第１受信コイル及び少なくとも１つの更なる受信コイルを含む第１コンフィギュレーションと、少なくとも１つの第３送信コイル及び第４送信コイルと第１受信コイル及び少なくとも１つの更なる受信コイルを含む第２コンフィギュレーションを有し、
第１、第３及び第４送信コイルの軸は１つの面に位置し、
検出装置と物体の間の相対運動時に、センサの進路に沿って、第１コンフィギュレーションによって検出される振幅推移が第２コンフィギュレーションによって検出される振幅推移と、測定信号のために、加算されることが好ましい。
（形態９）形態８の検出方法において、コイルアレンジメントは、少なくとも２つの更なる受信コイル、即ち第３受信コイル及び第４受信コイルを有し、
コイルアレンジメントは、少なくとも１つの更なる送信コイル及び第３送信コイルと第３受信コイル及び第４受信コイルを含む第３コンフィギュレーションと、第１送信コイル及び第４送信コイルと第３受信コイル及び第４受信コイルを含む第４コンフィギュレーションを有し、
第１、第３及び第４送信コイルの軸は１つの面に位置し、
第１及び第２コンフィギュレーションの振幅推移は、測定信号のために、経路に沿って互いに加算され、
第３及び第４コンフィギュレーションの振幅推移は、測定信号のために、経路に対する横方向において互いに加算されることが好ましい。
（形態１０）形態８又は９の検出方法において、対向して位置する２つのコンフィギュレーションから得られる振幅の量的な和は、コイルアレンジメントの仮想の直交座標系の原点が、格子構造体の電気的に導通する２つの閉回路を互いに対し分離する格子セグメントの上方の中心に正確に位置する丁度そのとき最大であり、但し、該原点は第１受信コイルと更なる受信コイルの間の中心に位置し、該直交座標系のＸＹ平面はこれらの受信コイルに位置し、該直交座標系のＺ軸は検出されるべき格子セグメントの方向を指向することが好ましい。
以下において、本発明は添付の図面に記載された実施例を用いて詳細に説明される。
なお、特許請求の範囲に付記した図面参照符号は専ら発明の理解を助けるためのものであり、本発明を図示の態様に限定することは意図していない。
【手続補正４】
【補正対象書類名】明細書
【補正対象項目名】００４２
【補正方法】変更
【補正の内容】
【００４２】
２つの更なる送信コイル１．３、１．４を追加することにより、図３及び図４に示した第２コンフィギュレーションが可能になる。このコンフィギュレーションでは、第１及び第２送信コイル１．１、１．２の代わりに，第３及び第４送信コイル１．３、１．４が交流電圧送信信号５．１によって駆動される。更に、第１及び第２受信コイル２．１、２．３が受信器として使用される。格子構造体に対し平行なセンサの進路（経路）ｘに沿って生成する第１及び第２コンフィギュレーションの振幅推移８．１、８．２は図８に示されている。第１振幅推移８．１と第２振幅推移８．２の和（ないし加算）により、対称的な測定信号８．３が得られる。複数のコンフィギュレーションの時間的多重化（Multiplexen）により、複数の測定信号は、制御回路のただ１つの評価ユニット（不図示）によって受容されることができる。
【手続補正５】
【補正対象書類名】明細書
【補正対象項目名】００５１
【補正方法】変更
【補正の内容】
【００５１】
本開示は、添付の請求の範囲に均等な範囲内においてなされる多種多様な修正、変更及び適合化を施すことができることは自明である。
ここに、本発明の態様を付記する。
（付記１）電磁放射に対し透過性の物体の背後に配置された目的物を検出する装置。
該装置は、
・第１送信コイル及び第１送信コイルに対し直角に配置された第１受信コイルを有するコイルアレンジメント、
・但し、コイルアレンジメントは、該装置と物体の間の相対運動時に目的物を検出するセンサを形成し、及び、
・少なくとも１つの送信コイルの制御のための及びセンサの出力信号の評価のための制御回路
を有する。
・コイルアレンジメントは、第１送信コイル及び少なくとも１つの更なる送信コイルと、第１受信コイル及び少なくとも１つの更なる受信コイルを含む。
・第１送信コイルの軸と少なくとも１つの更なる送信コイルの軸は互いに対し直角に配されている。
・第１送信コイル及び少なくとも１つの更なる送信コイルの軸は第１受信コイルの軸と直角に交差している。
（付記２）上記装置において、第１受信コイル及び少なくとも１つの更なる送信コイルの軸は第１受信コイルの軸と１つの点で交差している。
（付記３）上記装置において、送信コイルの軸は、受信コイルが配置されている面に位置する。
（付記４）上記装置において、少なくとも１つの更なる送信コイルと第１受信コイルの間の距離は、第１送信コイルと第１受信コイルの間の距離と同じ大きさである。
（付記５）上記装置において、その原点が第１受信コイルと更なる受信コイルの間の中心に位置しかつそのＺ軸が検出されるべき目的物の方向を指向する直交座標系において、受信コイルはＸＹ平面に位置し、他方、複数の送信コイルの少なくとも１つはＸＺ平面に位置しかつ複数の送信コイルの少なくとも他の１つはＹＺ平面に位置する。
（付記６）上記装置において、少なくとも１つの共振コンデンサが、第１受信コイルに対し並列にかつ少なくとも１つの更なる受信コイルに対し並列に接続されている。
該少なくとも１つの共振コンデンサは、これらの受信コイルと共に振動回路を形成する。
（付記７）上記装置において、コイルアレンジメントは、第１送信コイル及び少なくとも１つの更なる送信コイルと第１受信コイル及び少なくとも１つの更なる受信コイルを含む第１コンフィギュレーションと、少なくとも１つの第３送信コイル及び第４送信コイルと第１受信コイル及び少なくとも１つの更なる受信コイルを含む第２コンフィギュレーションを有する。
第３及び第４送信コイルの軸と第１送信コイルの軸は１つの面に位置する。
制御回路は、測定信号のために、第１コンフィギュレーションの振幅推移と第２コンフィギュレーションの振幅推移を加算するよう構成かつ適合化されており、これらの振幅推移は夫々該装置と物体の間の相対運動時にセンサの進路に沿って生成する。
（付記８）上記装置において、コイルアレンジメントは、少なくとも２つの更なる受信コイル、即ち第３受信コイル及び第４受信コイルを有する。
コイルアレンジメントは、少なくとも１つの更なる送信コイル及び第３送信コイルと第３受信コイル及び第４受信コイルを含む第３コンフィギュレーションと、第１送信コイル及び第４送信コイルと第３受信コイル及び第４受信コイルを含む第４コンフィギュレーションを有する。
第１、第３及び第４送信コイルの軸は１つの面に位置する。
制御回路は、前記進路を２次元的に評価するよう構成かつ適合化されている。
（付記９）電磁放射に対し透過性の物体の背後に配置された目的物の検出方法。
第１送信コイル及び第１送信コイルに対し直角に配置された第１受信コイルを有するコイルアレンジメントが設けられる。
コイルアレンジメントは、検出装置と物体の間の相対運動時に目的物を検出するセンサを形成する。
少なくとも１つの送信コイルが信号によって制御され、この信号によって影響を受けるセンサの出力信号が評価される。
第１送信コイルと少なくとも１つの更なる送信コイルは互いに対し直角に配置されておりかつ周期的な交流電圧信号によって駆動される。
第１送信コイル及び少なくとも１つの更なる送信コイルの軸は第１受信コイル及び少なくとも１つの更なる受信コイルの面に位置する。
周期的な交流信号のためにこれらの送信コイルから送出される電磁界は、周期的交流電圧送信信号の第１の半周期中では第１受信コイルの方向に夫々向けられており、周期的交流電圧送信信号の第２の半周期中では第１受信コイルの反対側に向けられている。
第１受信コイルは、少なくとも１つの更なる受信コイルと直列に接続されかつ駆動される。
コイルアレンジメントを貫通通過する有利には一様な電磁界は、これらの受信コイルにおいて互いに対し逆向きの電圧を生成する。
（付記１０）上記検出方法において、第１送信コイル及び少なくとも１つの更なる送信コイルと第１受信コイル及び少なくとも１つの更なる受信コイルを含む第１コンフィギュレーションと、少なくとも１つの第３送信コイル及び第４送信コイルと第１受信コイル及び少なくとも１つの更なる受信コイルを含む第２コンフィギュレーションを有する。
第１、第３及び第４送信コイルの軸は１つの面に位置する。
検出装置と物体の間の相対運動時に、センサの進路に沿って、第１コンフィギュレーションによって検出される振幅推移が第２コンフィギュレーションによって検出される振幅推移と、測定信号のために、加算される。
（付記１１）上記検出方法において、コイルアレンジメントは、少なくとも２つの更なる受信コイル、即ち第３受信コイル及び第４受信コイルを有する。
コイルアレンジメントは、少なくとも１つの更なる送信コイル及び第３送信コイルと第３受信コイル及び第４受信コイルを含む第３コンフィギュレーションと、第１送信コイル及び第４送信コイルと第３受信コイル及び第４受信コイルを含む第４コンフィギュレーションを有する。
第１、第３及び第４送信コイルの軸は１つの面に位置する。
第１及び第２コンフィギュレーションの振幅推移は、測定信号のために、経路に沿って互いに加算される。
第３及び第４コンフィギュレーションの振幅推移は、測定信号のために、経路に対する横方向において互いに加算される。
（付記１２）上記検出方法において、対向して位置する２つのコンフィギュレーションから得られる振幅の量的な和は、コイルアレンジメントの仮想の直交座標系の原点が、格子構造体の電気的に導通する２つの閉回路を互いに対し分離する格子セグメントの上方の中心に正確に位置する丁度そのとき最大であり、但し、該原点は第１受信コイルと更なる受信コイルの間の中心に位置し、該直交座標系のＸＹ平面はこれらの受信コイルに位置し、該直交座標系のＺ軸は検出されるべき格子セグメントの方向を指向する。
【手続補正６】
【補正対象書類名】図面
【補正対象項目名】図７
【補正方法】変更
【補正の内容】
【図７】
2018524587.tif 000001
【手続補正７】
【補正対象書類名】図面
【補正対象項目名】図８
【補正方法】変更
【補正の内容】
【図８】
2018524587.tif 000002
【手続補正８】
【補正対象書類名】図面
【補正対象項目名】図９
【補正方法】変更
【補正の内容】
【図９】
2018524587.tif 000003